(57)【要約】【課題】  ブラケット装置を通じてポストに取り付けることができるスライドレールアセンブリを提供すること。【解決手段】  スライドレールアセンブリのブラケット装置はブラケット及び締結部材を含む。ブラケットは側壁及び側壁に隣接する取り付け部材を含む。締結部材はブラケットに対して可動であり、側部、締結部及びブロック部を含む。締結部は側部に対して屈曲され、ブロック部は側部に配置される。締結部材がブラケットに対して所定の位置に位置している場合、ブロック部は取り付け部材に隣接する。締結部材が所定の位置から離れると、ブロック部は取り付け部材から離れる。【選択図】  図４
2019051293.tif 000002
【特許請求の範囲】
【請求項１】
ポストに適用可能なスライドレールアセンブリであって、当該スライドレールアセンブリは、
第１のレールと、
前記第１のレールに対して可動な第２のレールと、
前記第１のレールに取り付けられるブラケット装置であって、該ブラケット装置は、
側壁及び該側壁に隣接する取り付け部材を含むブラケットであって、該取り付け部材は前記ポストの孔内に挿入されるように構成されている、ブラケットと、
前記ブラケットに枢結される側部、該側部に対して屈曲された締結部及び該側部に配置されるブロック部を含む締結部材を含む、ブラケット装置と、
を含み、
当該スライドレールアセンブリを前記ポストに取り付けるために前記取り付け部材が前記ポストの孔に挿入されている場合、前記締結部材の締結部は前記ポストをロックするように構成され、
当該スライドレールアセンブリが力によって動かされた場合、前記ブロック部は前記取り付け部材が前記ポストの孔から外れるのを防止するために前記ポストと当接するように構成されている、スライドレールアセンブリ。
【請求項２】
前記ブラケットは前記側壁に対して屈曲された端壁をさらに含み、前記取り付け部材は該端壁に配置されている、請求項１に記載のスライドレールアセンブリ。
【請求項３】
前記締結部は前記側部に対して実質的に垂直に屈曲されている、請求項１に記載のスライドレールアセンブリ。
【請求項４】
前記ブロック部は突起である、請求項１に記載のスライドレールアセンブリ。
【請求項５】
側壁及び該側壁に隣接する取り付け部材を含むブラケットと、
側部、該側部に対して屈曲された締結部及び該側部に配置されるブロック部を含む締結部材と、
を含むブラケット装置であって、
前記締結部材が前記ブラケットに対して所定の位置に位置している場合、前記ブロック部は前記取り付け部材に隣接し、
前記締結部材が回転されて前記所定の位置から離れると、前記ブロック部は前記取り付け部材から離れる、ブラケット装置。
【請求項６】
前記ブラケットは前記側壁に対して屈曲された端壁をさらに含み、前記取り付け部材は該端壁に配置される、請求項５に記載のブラケット装置。
【請求項７】
前記締結部は前記側部に対して実質的に垂直に屈曲されている、請求項５に記載のブラケット装置。
【請求項８】
前記ブロック部は突起である、請求項５に記載のブラケット装置。
【請求項９】
側壁及び該側壁に隣接する取り付け部材を含むブラケットと、
前記ブラケットに対して可動な締結部材であって、該締結部材は側部、該側部に対して屈曲された締結部及びブロック部を含む、締結部材と、
を含むブラケット装置であって、
前記ブロック部は前記側部に配置され、前記ブロック部は前記側部と前記締結部との間の屈曲部に隣接する、ブラケット装置。
【請求項１０】
前記ブラケットは前記側壁に対して屈曲された端壁をさらに含み、前記取り付け部材は該端壁に配置され、前記締結部材は前記側部に対して実質的に垂直に屈曲されている、請求項９に記載のブラケット装置。
【発明の詳細な説明】
【技術分野】
【０００１】
本発明はスライドレールのためのブラケット装置に関し、より具体的にはラックに適用可能なスライドレールアセンブリのブラケット装置に関する。
【背景技術】
【０００２】
図１に示すように、ラックシステムにおいては、一般にブラケット装置１０２を通じてスライドレールアセンブリ１００をラックのポスト１０４に取り付けることができる。ブラケット装置１０２は、ポスト１０４の孔１０８内に挿入されるように構成された少なくとも１つの取り付け部材１０６と、ポスト１０４をロックするように構成された締結部材（fastening  member）１１０とを含む。締結部材１１０はシャフト部材１１２を通じて回転可能であり、締結部材１１０は側部１１０ａ、締結部（fastening  part）１１０ｂ及び延長部１１０ｃを有する。締結部１１０ｂは側部１１０ａに対して実質的に垂直に屈曲され、延長部１１０ｃは締結部１１０ｂに対して実質的に垂直に屈曲され且つポスト１０４の方に延在する。
【０００３】
図２に示すように、スライドレールアセンブリ１００がポスト１０４に取り付けられている場合、スライドレールアセンブリ１００は、スライドレールアセンブリ１００及び／又はブラケット装置１０２に加えられる意図しない力又は外力によって揺れて僅かに動き得る。加えて、ブラケット装置１０２の締結部材１１０は力によって第１の方向Ｒ１に沿って偏向し得る。そのような場合、少なくとも１つの取り付け部材１０６は方向Ｄに沿ってポスト１０４の孔１０８から外れ得る。あるいは、図３に示すように、ブラケット装置１０２の締結部材１１０は力によって別の方向（例えば図３に示す第２の方向）に沿って偏向し得る。そのような場合、締結部材１１０の延長部１１０ｃがポスト１０４に当たって締結部材１１０が変形するか又は破損することがある。
【発明の概要】
【発明が解決しようとする課題】
【０００４】
したがって、スライドレールのために信頼性の高いブラケット製品を開発することが重要である。
【０００５】
本発明は、ブラケット装置を通じてポストに取り付けることができるスライドレールアセンブリを提供する。
【課題を解決するための手段】
【０００６】
本発明の一実施形態によれば、スライドレールアセンブリはポストに適用可能である。スライドレールアセンブリは、第１のレールと、第２のレールと、ブラケット装置とを含む。第２のレールは第１のレールに対して可動である。ブラケット装置は第１のレールに取り付けられる。ブラケット装置はブラケット及び締結部材を含む。ブラケットは側壁及び該側壁に隣接する取り付け部材を含む。取り付け部材はポストの孔内に挿入されるように構成されている。締結部材は側部、締結部及びブロック部を含む。側部はブラケットに枢結される。締結部は側部に対して屈曲されている。ブロックは側部に配置される。スライドレールアセンブリをポストに取り付けるために取り付け部材がポストの孔に挿入されている場合、締結部材の締結部はポストをロックするように構成されている。スライドレールアセンブリが力によって動かされた場合、ブロック部は取り付け部材がポストの孔から外れるのを防止するためにポストと当接するように構成されている。
【０００７】
本発明の別の実施形態によれば、ブラケット装置はブラケット及び締結部材を含む。ブラケットは側壁及び該側壁に隣接する取り付け部材を含む。締結部材は側部、締結部及びブロック部を含む。締結部は側部に対して屈曲されている。ブロック部は側部に配置される。締結部材がブラケットに対して所定の位置に位置している場合、ブロック部は取り付け部材に隣接する。締結部材が回転されて所定の位置から離れると、ブロック部は取り付け部材から離れる。
【０００８】
本発明の別の実施形態によれば、ブラケット装置はブラケット及び締結部材を含む。ブラケットは側壁及び該側壁に隣接する取り付け部材を含む。締結部材はブラケットに対して可動であり、側部、締結部及びブロック部を含む。締結部は側部に対して屈曲されている。ブロック部は側部に配置され、ブロック部は側部と締結部との間の屈曲部に隣接する。
【０００９】
様々な図面に図示する下記の好ましい実施形態の詳細な説明を読み終えた後、本発明の上記の目的及び他の目的が当業者に間違いなく明らかになる。
【図面の簡単な説明】
【００１０】
【図１】図１は、ポストをロックする締結部材を備えるブラケット装置を通じてポストに取り付けられた先行技術のスライドレールアセンブリを示す図である。
【図２】図２は、外力により締結部材が所定の方向に沿って偏向された状態のポストに取り付けられた先行技術のスライドレールアセンブリを示す図である。
【図３】図３は、外力により締結部材が別の方向に沿って偏向された状態のポストに取り付けられた先行技術のスライドレールアセンブリを示す図である。
【図４】図４は、本発明の一実施形態に係るスライドレールアセンブリを示す図である。
【図５】図５は、本発明の一実施形態に係る、締結部材がロック位置に位置した状態のブラケット装置を示す図である。
【図６】図６は、本発明の一実施形態に係る、締結部材が非ロック位置に位置した状態のブラケット装置を示す図である。
【図７】図７は、本発明の一実施形態に係る、ラックに取り付けられたスライドレールアセンブリを示す図である。
【図８】図８は、本発明の一実施形態に係る、ブラケット装置を通じてラックのポストに取り付けられたスライドレールアセンブリを示す図である。
【図９】図９は、本発明の一実施形態に係る、ブラケット装置のブロック部がポストに当接した状態のブラケット装置を通じてラックのポストに取り付けられたスライドレールアセンブリを示す図である。
【発明を実施するための形態】
【００１１】
図４に示すように、スライドレールアセンブリ２０は第１のレール２２、第２のレール２４及びブラケット装置２６を含む。
【００１２】
第２のレール２４は第１のレール２２に対して可動である。スライドレールアセンブリ２０は、第１のレール２２と第２のレール２４との間に可動に取り付けられる第３のレール２８をさらに含むことが好ましい。第３のレール２８は、第１のレール２２に対する第２のレール２４の移動距離を伸ばすように構成されている。そのような構成は当業者に周知であるため、簡略化のためにさらなる説明は省略する。
【００１３】
ブラケット装置２６は第１のレール２２に取り付けられ、ブラケット装置２６はブラケット３０及び締結部材３２を含む。
【００１４】
ブラケット３０は側壁３４と、該側壁３４に隣接する少なくとも１つの取り付け部材３６とを含む。側壁３４は第１のレール２２に接続される。ブラケット３０は端壁３８をさらに含み、端壁３８は側壁３４に対して実質的に垂直に屈曲していることが好ましい。少なくとも１つの取り付け部材３６（又は複数の取り付け部材）は端壁３８に設けられる。
【００１５】
図４及び図５に示すように、締結部材３２はブラケット３０に対して可動である。締結部材３２はシャフト部材３９を通じてブラケット３０に対して枢結されていることが好ましい。締結部材３２は側部４０と、側部４０に対して屈曲された締結部４２とを含む。側部４０はブラケット３０に枢結され、締結部４２は側部４０に対して実質的に垂直に屈曲されていることが好ましいが、本発明は係る構成に限定されない。
【００１６】
図５及び図６に示すように、締結部材３２は側部４０に配置されるブロック部４４をさらに含む。本実施形態では、ブロック部４４は側部４０に配置されるとともに、側部４０と締結部４２との間の屈曲部４６に隣接する。
【００１７】
締結部材３２がブラケット３０に対して所定の位置（ロック位置Ｐ１等）に位置している場合、ブロック部４４は（図５に示すように）取り付け部材３６に隣接する。締結部材３２が回転されてロック位置Ｐ１から離れると（例えば、締結部材３２が回転されて非ロック位置Ｐ２に動かされると）、ブロック部４４は（図６に示すように）取り付け部材３６から離れる。
【００１８】
ブロック部４４は締結部材３２の側部４０と一体形成されていることが好ましい。あるいは、代替的な実施形態では、ブロック部４４は締結部材３２の側部４０と一体形成されていない。例えば、ブロック部４４を含む追加の構成要素を締結部材３２の側部４０に取り付けることができる。ブロック部４４は突起であることが好ましい。
【００１９】
図７に示すように、スライドレールアセンブリ２０の第１のレール２２はブラケット装置２６及び別のブラケット装置４８を通じてラックの２つのポスト５０ａ、５０ｂに取り付けできることが好ましい。ブラケット装置２６の取り付け部材３６はポスト５０ａの孔Ｈ内に挿入されるように構成されている。締結部材３２がロック位置Ｐ１に位置する場合、締結部材３２の締結部４２は、スライドレールアセンブリ２０がポスト５０ａから自在に外れるのを防止するためにポスト５０ａをロックするように構成されている。
【００２０】
加えて、第２のレール２４及び第３のレール２８は第１のレール２２に対して引っ込められた状態にすることができる。さらに、第２のレール２４は保持物体を取り付けるための複数の取り付け部５２を有する。締結部材３２は締結部４２に接続されるフック５３をさらに含むことが好ましい。第２のレール２４が第１のレール２２に対して引っ込められた状態にある場合、フック５３は、第２のレール２４を第１のレール２２に対して引っ込められた状態で保持することができるように保持物体の係合部材と係合するように構成されている。
【００２１】
図８に示すように、ブラケット装置２６の取り付け部材３６は、スライドレールアセンブリ２０をポスト５０ａに取り付けるためにポスト５０ａの孔Ｈ内に挿入される。締結部材３２がロック位置Ｐ１に位置する場合、締結部材３２の締結部４２はポスト５０ａをロックするように構成されている。取り付け部材３６は第１の部分５４及び第２の部分５６を含み、第１の部分５４及び第２の部分５６は異なる寸法を有することが好ましい。例えば、第１の部分５４の外径は第２の部分５６の外径よりも大きい。そのような構成によれば、第１の部分５４及び第２の部分５６を直径が異なる様々なポストの孔に挿入できる。本実施形態では、取り付け部材３６の第１の部分５４はポスト５０ａの孔Ｈ内に挿入されている。さらに、スライドレールアセンブリ２０がポスト５０ａに取り付けられると、ブロック部４４とポスト５０ａの壁面５８との間に間隙Ｇが定義される。間隙Ｇは締結部４２とポスト５０ａの壁面５８との間の距離よりも小さい。
【００２２】
図８及び図９に示すように、スライドレールアセンブリ２０が所定の方向に沿って力Ｆを受けた場合、ブロック部４４は、取り付け部材３６がポスト５０ａの孔Ｈから外れるのを防止するためにポスト５０ａの壁面５８に当接するように構成されている。
【００２３】
例えば、スライドレールアセンブリ２０が所定の方向に沿って意図しない力Ｆを受けた場合、スライドレールアセンブリ２０全体は所定の方向に沿って間隙Ｇと等しい距離移動し得る。締結部材３２のブロック部４４がポスト５０ａの壁面５８に当接することを通じて、スライドレールアセンブリ２０全体が所定の方向にさらに動くことはない。そのため、取り付け部材３６の第１の部分５４（又は第２の部分５６）はポスト５０ａの孔Ｈから外れるのが防止でき、締結部材３２がロック位置Ｐ１で自在に揺れるのを防止できる。加えて、ブロック部４４は側部４０に配置され、側部４０と締結部４２との間の屈曲部４６に隣接しているため、力Ｆによりブロック部４４がポスト５０ａに当接した場合に締結部４２及び側部４０の変形を防止できる。さらに、ブロック部４４（突起等）は締結部材３２（締結部材３２の側部４０）の構造強度を改善することもできる。
【００２４】
したがって、本発明のスライドレールアセンブリ及び／又はブラケット装置は以下のように特徴付けることができる。
１）ブロック部４４は締結部材３２の構造強度を改善し且つ締結部材３２が力により変形するのを防止するために締結部材３２の側部４０に配置される。
２）スライドレールアセンブリ２０がブラケット装置２６を通じてポスト５０ａに取り付けられ且つ意図しない力を受けた場合、締結部材３２のブロック部４４は、取り付け部材３６がポスト５０ａの孔Ｈから外れるのを防止するとともに、締結部材３２がロック位置Ｐ１で自在に揺れるのを防止するためにポスト５０ａに当接するように構成されている。
３）ブロック部４４は側部４０に配置されるとともに、側部４０と締結部４２との間の屈曲部４６に隣接するように構成されている。力Ｆによりブロック部４４がポスト５０ａと当接した場合、締結部４２及び側部４０の変形を防止できる。
【００２５】
当業者であれば、本発明の教示を維持しながら多くの変更及び改良が装置及び方法に加えられ得ることに容易に気付く。従って、上記の開示は、添付の特許請求の範囲によってのみ限定されると解釈すべきである。
【符号の説明】
【００２６】
２０  スライドレールアセンブリ
２２  第１のレール
２４  第２のレール
２６  ブラケット装置
２８  第３のレール
３０  ブラケット
３２  締結部材
３４  側壁
３６  取り付け部材
３８  端壁
４０  側部
４２  締結部
４４  ブロック部
４６  屈曲部
４８  ブラケット装置
５０  ラック
５０ａ、５０ｂ  ポスト
５２  取り付け部
５４  第１の部分
５６  第２の部分
５８  壁面
【図１】
2019051293.tif 000003
【図２】
2019051293.tif 000004
【図３】
2019051293.tif 000005
【図４】
2019051293.tif 000006
【図５】
2019051293.tif 000007
【図６】
2019051293.tif 000008
【図７】
2019051293.tif 000009
【図８】
2019051293.tif 000010
【図９】
2019051293.tif 000011